(57)【要約】【課題】分水手段を、ポンプから吐出された洗浄水によって駆動できて、コストの低廉化を図るようにする。【解決手段】図示しないポンプから洗浄水吐出管１３ａへ吐出された洗浄水は吐出水路１４を通して分水機構１７に供給される。この洗浄水はこの分水機構１７により分水管１５の分水管部１５ａ及び１５ｂのいずれか一方又は両方へ切り替えられる。各分水管部１５ａ及び１５ｂの先端部には図示しない噴射ノズルが備えられている。吐出水路１４の羽根車専用通水路１４ｄには羽根車２２が洗浄水の水流Ｂによって回転駆動されるように設けられ、この羽根車２２の回転によって分水機構１６を動作させる構成となっている。【選択図】図１
2007125154.tif 000002
【特許請求の範囲】
【請求項１】
洗浄槽と、
洗浄水をこの洗浄槽内に噴射して食器類を洗浄する複数の洗浄手段と、
この複数の洗浄手段に洗浄水を供給するポンプと、
このポンプから吐出された洗浄水を前記複数の洗浄手段のいずれか一方または両方に切り替えることが可能な分水手段と、
前記ポンプから前記分水手段に通じる吐出水路に回転可能に設けられ前記ポンプから吐出された洗浄水によって回転駆動される羽根車とを備え、
前記羽根車の回転によって前記分水手段を動作させる構成としてなる食器洗浄機。
【請求項２】
吐出水路には、主通水路と羽根車専用通水路とが形成され、この羽根車専用通水路に羽根車が設けられていることを特徴とする請求項１記載の食器洗浄機。
【請求項３】
羽根車専用通水路には洗浄水の流れを規制する規制手段を設けたことを特徴とする請求項２記載の食器洗浄機。
【請求項４】
規制手段は羽根車専用通水路の洗浄水の流れを許容・遮断するように動作することを特徴とする請求項３記載の食器洗浄機。
【請求項５】
規制手段は羽根車専用通水路の洗浄水の流量を絞るように動作することを特徴とする請求項３記載の食器洗浄機。
【発明の詳細な説明】
【技術分野】
【０００１】
本発明は複数の洗浄手段を備えると共にこの複数の洗浄手段に洗浄水を分水して供給することが可能な分水手段を備えた食器洗浄機に関する。
【背景技術】
【０００２】
従来、食器洗浄機には、複数の洗浄手段を備えると共にこの複数の洗浄手段に洗浄水を分水して供給することが可能な分水手段を備えた構成のものがある（例えば特許文献１）。この特許文献１に記載の食器洗浄機では、洗浄水を洗浄手段に供給するポンプから各洗浄手段に水を分流させる分流水路部分に、モータにより回転駆動される分流機構（分水手段）を設け、この分流機構の回転角度を変更することにより分流先を切り替えて、各洗浄手段に選択的に洗浄水を供給するようにしている。
【特許文献１】特開２００１−２１８７２１号公報
【発明の開示】
【発明が解決しようとする課題】
【０００３】
しかしながら、前記特許文献１に記載の食器洗浄機では、分水機構をモータにより駆動する構成であるため、コスト高を来たす問題があった。
本発明は上述の事情に鑑みてなされたものであり、その目的は、分水手段をポンプから吐出された洗浄水によって駆動できて、コストの低廉化を図ることができる食器洗浄機を提供するにある。
【課題を解決するための手段】
【０００４】
請求項１の発明は、洗浄槽と、洗浄水をこの洗浄槽内に噴射して食器類を洗浄する複数の洗浄手段と、この複数の洗浄手段に洗浄水を供給するポンプと、このポンプから吐出された洗浄水を前記複数の洗浄手段のいずれか一方または両方に切り替えることが可能な分水手段と、前記ポンプから前記分水手段に通じる吐出水路に回転可能に設けられ前記ポンプから吐出された洗浄水によって回転駆動される羽根車とを備え、前記羽根車の回転によって前記分水手段を動作させる構成としてなるものである。
この請求項１の発明においては、ポンプから吐出された洗浄水によって羽根車を回転駆動し、この羽根車の回転によって分水手段を動作させる構成としたから、分水手段の駆動源として、ポンプから吐出された洗浄水を利用することができ、コストの低廉化を図ることができる。
【０００５】
この場合、吐出水路に、主通水路と羽根車専用通水路とを形成し、この羽根車専用通水路に羽根車を設ける構成としても良い（請求項２の発明）。このようにすると、羽根車を、羽根車専用通水路を通る洗浄水の全圧力によって回転させることが可能となり、安定した回転動力を得ることができ、しかも、吐出水路に仮に異物が混入したとしても、その異物が比較的流路抵抗の少ない主通水路側を通ることが期待でき、羽根車部分での異物の詰まりを少なくできる。
また、前記羽根車専用通水路には洗浄水の流れを規制する規制手段を設けるようにしても良い（請求項３の発明）。このようにすると、羽根車の回転停止や回転速度を制御することが可能となり、分水手段の動作制御を図ることができる。
【０００６】
この場合、この規制手段が羽根車専用通水路の洗浄水の流れを許容・遮断するように動作するようにしても良い（請求項４の発明）。このようにすると、羽根車の回転を許容及び停止することができ、分水手段の切り替え動作を開始及び停止できて、分水切り替え方向を変更し且つその変更位置をキープすることができる。
また、前記規制手段が羽根車専用通水路の洗浄水の流量を絞るように動作するようにしても良い（請求項５の発明）。このようにすると、羽根車の回転速度を制御できて分水手段の切り替え動作速度を変更できる。
【発明の効果】
【０００７】
本発明は、分水手段をポンプから吐出された洗浄水によって駆動できて、コストの低廉化を図ることができる。
【発明を実施するための最良の形態】
【０００８】
以下、本発明の一実施例について図面を参照して説明する。図１には、扉を開放した状態の食器洗浄機１が示されている。食器洗浄機１は、内部に洗浄槽２を有する洗浄機本体３と、洗浄機本体３の前面に設けられ、洗浄槽２の前面開口部を開閉するための下部扉４及び上部扉５とを備えて構成されている。なお、この下部扉４及び上部扉５は、図示しないリンク機構によって連動して回動するように連結されている。前記下部扉４の前面には、図示しないが、各種スイッチや表示部等を有する操作パネル、扉４、５を開放させるための押しボタンなどが設けられている。
【０００９】
洗浄槽２内の奥部には上部ノズル６が固定されている。この上部ノズル６は、洗浄槽２の内面に沿って左右に延びる帯状の中空部材６ａとその前面に形成された複数の噴射孔６ｂから構成されている。中空部材６ａの途中部位には洗浄槽２の下部まで延びる筒状部７が一体的に設けられている。さらに、洗浄槽２内の下部には２個の回転式の洗浄手段たる噴射ノズル８Ａ、８Ｂが左右に並んで設けられている。これら噴射ノズル８Ａ、８Ｂは、同一構成であるので、一方の噴射ノズル８Ａについて述べる。この噴射ノズル８Ａは、中空状のアーム部８ａと、その上面に形成された複数の噴射孔８ｂとから構成されている。アーム部８ａの基端部である被連結管部８ｃはアーム支え９（図９及び図１０にも図示）に回転自在に接続されている。また、洗浄槽２の内部には、図示しないが、上下２個の食器カゴが出し入れ可能に収容されるようになっている。
該洗浄槽２底部には貯水タンク（図示せず）が形成されていると共にヒータ収容部（図示せず）が形成されており、この貯水タンクの上面を覆うように残菜フィルタ１０が設けられており、また、ヒータ収容部を覆うように多孔板からなる保護カバー１１が装着されている。また、洗浄槽２底部の後部中央には給水口１２が設けられている。
【００１０】
図３に示すように、前記洗浄槽２の下部には洗浄ポンプ及び排水ポンプを兼用するポンプ１３が配設されている。このポンプ１３は、ポンプモータが一方向に回転するときには例えば洗浄用インペラが機能し、排水用インペラは機能しないようになっている。これに対してポンプモータが他方向に回転するときは排水用インペラが機能し、洗浄用インペラは機能しないようになっている。つまり、ポンプ１３は、ポンプモータの回転方向を切り替えることにより洗浄用ポンプとして機能する状態と排水用ポンプとして機能する状態とに切り替え可能に構成されている。
【００１１】
このポンプ１３は洗浄時においては、前記図示しない貯水タンクの洗浄水を吸入して洗浄水吐出管１３ａへ吐出するものであり、この洗浄水吐出管１３ａの先端部には、吐出水路１４の一端部（下端部）が接続されている。この吐出水路１４の内部には、直線的な仕切壁部１４ａと、この仕切壁部１４ａから側路する形態の仕切壁部１４ｂが図１に示すように設けられており、これら仕切壁部１４ａ、１４ｂによって主通水路１４ｃと羽根車専用通水路１４ｄとが形成されている。主通水路１４ｃはほぼストレートな水路からなるものであり、前記仕切壁部１４ａの一端側（下端側）には多孔状の入水口１４ｅが形成され、また該仕切壁部１４ａの他端側（上端側）は出水口１４ｆとして開放している。
【００１２】
この吐出水路１４の他端部には分水管１５が左右に分かれて形成されている。この分水管１５は、図３に示すように洗浄槽２の底部に形成された分水管配置凹部２ａに配置されている。この分水管１５にはねじ止め用の片部１５ｒ、１５ｒが形成されており、ねじ１５ｓ、１５ｓに着脱可能に固定されている。従って、この分水管１５及び前記吐出水路１４は洗浄槽２から分離可能であり、この結果、後述する羽根車２２も洗浄槽２から組み込み及び分離可能である。これにより、簡単に分解修理が可能となる。
【００１３】
そして、この分水管１５の一方の分水管部１５ａの端部には、図８ないし図１０に示すように、上向きの前述のアーム支え９が形成されており、このアーム支え９は連結管部も構成している。アーム支え９に前記噴射ノズル８Ａの被連結管部８ｃが回転可能に嵌合連結されている。また上記分水管１５の他方の分水管部１５ｂの端部も上述と同様の構成であり、この分水管部１５ｂの端部のアーム支え９に前記噴射ノズル８Ｂの被連結管部８ｃが回転可能に嵌合連結されている。なお、前記洗浄水吐出管１３ａの一部は図示しないが前記上部ノズル６の筒状部７に連通されていて、従って、洗浄水を前記噴射ノズル８Ａ、８Ｂとこの上部ノズル６から噴射できるようになっている。
【００１４】
さて、図１及び図４において、前記分水管１５において前記吐出水路の主通水路１４ｃとの分岐部分１５ｃは平面的にみて略円形状に形成されており、この分岐部分１５ｃには分水手段たる分水機構１６が設けられている。この分水機構１６は分水器１７を備えて構成されている。この分水器１７は、図４及び図５に示すように、上面が閉鎖され下面が開放された略円筒状をなし、その周壁部１７ａには、平面的にみて略１８０度に近い角度で開口する通水口１７ｂが形成されている。また該周壁部１７ａ下部外周縁部にはギヤ１８が形成され、また上面壁中心部には、軸部１７ｃが突設されている。また、周壁部１７ａの一箇所にはマグネット１９が埋設されており、このマグネット１９は例えばそれぞれリードスイッチからなる第１ないし第３の磁気センサ２０ａ、２０ｂ、２０ｃとで回転位置検出手段たる回転位置検出装置２１が構成されている。
上記分水器１７は、前記分水管１５における前記分岐部分１５ｃに回転自在に配置されている。この場合、この分水器１７の前記軸部１７ｃがこの分岐部分１５ｃに形成された軸受け凹部１５ｄに嵌合されている。さらにこの分水器１７は主通水路１４ｃに形成された受け部１４ｇにより回転自在に支承されている。
【００１５】
前記第１ないし第３の磁気センサ２０ａ、２０ｂ、２０ｃは、分水器１７の回転位置が、図４、図６及び図７に至ったときそれぞれマグネット１９と対応して位置検出信号を出力するようになっている。図４に示す分水器１７の回転位置では、該分水器１７の通水口１７ｂが前記分水管１５の両分水管部１５ａ、１５ｂに通水可能な回転位置にあり、図７では、該通水口１７ｂが一方の分水管部１５ａのみに通水可能な回転位置にあり、図６では該通水口１７ｂが一方の分水管部１５ｂのみに通水可能な回転位置にある。
【００１６】
前記吐出水路１４の羽根車専用通水路１４ｄには、例えば軸流式羽根車からなる羽根車２２が軸受け部２３を介して回転自在に設けられている。この羽根車２２は羽根部２２ａと軸部２２ｂとからなる。この羽根車２２は矢印Ｂで示す水流を受けると矢印Ｑ方向に回転される。この羽根車２２の軸部２２ｂの上端部には回転伝達機構２４が設けられており、この回転伝達機構２４は、前記ギヤ１８と、軸部２２ｂに連結されたギヤ２５と、これと噛み合う中間ギヤ２６ａと、これと一体回転する従動ギヤ２６ｂと、この従動ギヤ２６ｂと噛み合い且つ前記分水器１７のギヤ１８と噛み合う中間ギヤ２７とから構成されている。従って、羽根車２２の矢印Ｑ方向への回転動力が前記分水器１７に伝達されて、図４に示す矢印Ｒ方向へ回転駆動する。
【００１７】
図１において、前記羽根車専用通水路１４ｄには、規制手段たる規制部材２８が設けられている。この規制部材２８には回転可能に設けられており、規制板部２８ａが羽根車専用通水路１４ｄとほぼ平行となる状態（図１の状態Ｐ１）では、羽根車専用通水路１４ｄ内での水流Ｂの流れを許容しており、この状態から二点差線のように９０度回転された状態Ｐ２では、該水流Ｂの流れを停止させ、また斜め位置に回転された状態Ｐ３では、その水流Ｂの流量を絞るように作用するものである。前記水流Ｂが流れると、前記羽根車２２も回転し、分水機構１６の分水器１７も回転し、該水流Ｂが規制部材２８により停止されると、羽根車２２の回転も停止し、分水機構１６の分水器１７の回転も停止することになり、従って、この規制部材２８は、分水器１７の回転位置制御用の部材でもある。なお、状態Ｐ３では、その回転角度に応じて流量が設定されるものである。この規制部材２８は図１１に示す規制用モータ２９により駆動・停止されるようになっている。
【００１８】
この図１１において、制御回路３０は、操作部３１、第１ないし第３の磁気センサ２０ａ、２０ｂ、２０ｃからの入力信号に応じて規制用モータ２９を通断電制御するものである。前記操作部３１は、直接的には前記規制部材２８の回転角度状態を状態Ｐ１〜Ｐ３のいずれかに制御するためのものではあるが、間接的には、分水機構１６による分水切り替えモードを設定するためのものであり、この分水器１７から分水管部１５ａ、１５ｂの両方に水を分配する「両分水モードＭ１」と、「分水管部１５ａのみ分水モードＭ２」と「分水管部１５ｂのみ分水モードＭ３」とのいずれかに設定されるようになっている。また、この操作部３１は、水流強弱の設定が可能であり、水流「強」が設定されると、規制部材２８を状態Ｐ１として水流Ｂの強さを強くし、水流「弱」が設定されると、規制部材２８を状態Ｐ３として水流Ｂの強さをやや弱く（流量を絞る）するようになっている。
【００１９】
そして、規制部材２８は洗浄開始前においては図１の状態Ｐ１とされており、「両分水モードＭ１」が設定された場合には、制御回路３０は第１の磁気センサ２０ａがマグネット１９を検出したとき（図４の状態）に規制用モータ２９を制御して規制部材２８を状態Ｐ２の状態（水流停止状態）まで動作させ、「分水管部１５ａのみ分水モードＭ２」が設定されたときには、制御回路３０は第２の磁気センサ２０ｂがマグネット１９を検出したとき（図７の状態）に規制用モータ２９を制御して規制部材２８を状態Ｐ２の状態（水流停止状態）まで動作させ、「分水管部１５ｂのみ分水モードＭ３」が設定されたときには、制御回路３０は第３の磁気センサ２０ｃがマグネット１９を検出したとき（図６の状態）に規制用モータ２９を制御して規制部材２８を状態Ｐ２の状態（水流停止状態）まで動作させるようになっている。
【００２０】
図８ないし図１０において、一方の分水管部１５ａの先端部近くには、上部に略反円弧状に膨出する羽根ケーシング部３２が形成されており、この羽根ケーシング部３２に横流式羽根車からなる噴射ノズル回転用羽根車３３が水流Ｃに対して直行する方向で軸支されており、従って、水流Ｃにより矢印Ｔ方向に回転する構成となっている。この噴射ノズル回転用羽根車３３の軸部３３ａは前記噴射ノズル８Ａの被連結管部８ｃ方向に延びる形態となっており、この軸部３３ａの先端部にはウォーム３４が固着されている。また前記被連結管部８ｃの外周面にはこのウォーム３４と噛み合うウォームギヤ３５が形成されており、このウォーム３４及びウォームギヤ３５により回転伝達機構３６が構成されている。
【００２１】
前記水流Ｃによって噴射ノズル回転用羽根車３３が矢印Ｔ方向へ回転すると、ウォーム３４が回転し、これにより、ウォームギヤ３５が回転して、噴射ノズル８Ａが回転駆動される構成となっている。
前記他方の分水管部１５ｂの先端部分についても同様に、羽根ケーシング部３２、噴射ノズル回転用羽根車３３、ウォーム３４、ウォームギヤ３５、回転伝達機構３６が備えられている。
【００２２】
次に本実施例の作用について説明する。食器を洗浄する洗浄運転を行う場合には、まず、洗浄槽２内の食器カゴに食器類を収容した状態で下部扉４及び上部扉５を閉鎖状態とし、操作パネルを操作して洗浄条件を設定するとともに運転を開始させる。
運転開始の指示がされると図示しない制御回路は洗浄行程、すすぎ行程、乾燥行程を順に実行するが、ここでは洗浄行程についての説明を行なう。洗浄行程では、給水動作、洗浄動作、排水動作が順に行なわれる。この場合、洗浄行程開始前の初期状態では、規制部材２８は状態Ｐ１にある。また、操作部３１により「分水管部１５ａのみ分水モードＭ２」が設定されているものとする。
【００２３】
給水動作では、図示しない給水弁が開放されて洗浄槽２内に給水が所定水位まで行なわれる。この水（洗浄水）は、貯水タンク及びヒータ収容部に貯留される。給水完了後、ポンプ１３のモータが洗浄側に回転され洗浄動作が開始される。洗浄時には、まず、貯水タンクの水がポンプ１３に吸い込まれる。ポンプ１３に吸い込まれた水は、洗浄水吐出管１３ａを通って吐出水路１４に流入する。この時点では、規制部材２８は状態Ｐ１にあるから、主通水路１４ｃ及び羽根車専用通水路１４ｄに洗浄水が流入する。羽根車専用通水路１４ｄ内の水流Ｂにより羽根車２２が回転し、その回転力が回転伝達機構２４を介して分水器１７に伝達されてこれが回転する。そして、マグネット１９が第２の磁気センサ２０ｂに対応する位置となったところで該第２の磁気センサ２０ｂからマグネット検出信号が出力され、これに基づいて制御回路３０が規制用モータ２９を規制部材２８を状態Ｐ２まで駆動させる。これにより、規制部材２８が水流Ｂを遮断し、この結果、羽根車２２の回転が停止され、分水器１７の回転が図７の状態で停止し、主通水路１４ｃを通った洗浄水が分水管部１５ａのみに供給される。
この分水管部１５ａに供給された洗浄水は、図８、図９に示したように、水流Ｃとして流れ、噴射ノズル８Ａから噴射される。これと同時に、噴射ノズル回転用羽根車３３がこの水流Ｃにより回転されることに基づいて回転伝達機構３６を介して該噴射ノズル８Ａが回転駆動される。
【００２４】
また、ここで、ユーザーが、他方の噴射ノズル８Ｂからのみ噴射したい場合には、ユーザーは操作部３１により「分水管部１５ｂのみ分水モードＭ３」を設定することになる。この場合、制御回路３０は規制用モータ２９を状態Ｐ１まで回転動作する。すると、羽根車専用通水路１４ｄでの水流Ｂの流通が許容され、羽根車２２が回転する。制御回路３０は、マグネット１９が第３の磁気センサ２０ｃに対応したところで、この第３の磁気センサ２０ｃからのマグネット検出信号に基づいて、規制用モータ２９を、規制部材２８が状態Ｐ２の状態（水流停止状態）まで動作させる。これによって、分水管部１５ｂのみが分水され、他方の噴射ノズル８Ｂからのみ洗浄水が噴射される。この場合、この噴射ノズル８Ｂが噴射ノズル回転用羽根車３３の回転に基づいて回転駆動される。
【００２５】
また、噴射ノズル８Ａ、８Ｂの両方から洗浄水を噴射させたい場合には、ユーザーは操作部３１により「両分水モードＭ１を設定することになる。この場合、制御回路３０は規制用モータ２９を状態Ｐ１まで回転動作する。すると、羽根車専用通水路１４ｄでの水流Ｂの流通が許容され、羽根車２２が回転する。制御回路３０は、マグネット１９が第１の磁気センサ２０ａに対応したところで、規制用モータ２９を、規制部材２８が状態Ｐ２の状態（水流停止状態）まで動作させる。これによって、分水管部１５ａ、１５ｂの両方へ分水され、両方の噴射ノズル８Ａ、８Ｂから洗浄水が噴射される。この場合、これら両方の噴射ノズル８Ａ、８Ｂとも噴射ノズル回転用羽根車３３の回転に基づいて回転駆動される。
【００２６】
なお、規制部材２８が状態Ｐ１としたときに水流Ｂの勢いが強い場合には、操作部３１の水流強弱の設定操作により状態Ｐ３とするようにしても良い。また、規制部材２８を固定的に状態Ｐ１または状態Ｐ３としておくようにしてもよく、この場合には、洗浄時において、分水器１７が常時回転することになるので、噴射ノズル８Ａ、８Ｂが共に回転しながら洗浄水を噴射する形態と、噴射ノズル８Ａのみが回転しながら洗浄水を噴射する形態と、噴射ノズル８Ｂのみが回転しながら洗浄水を噴射する形態とが順次切り替わって繰り返されるようになる。
【００２７】
このような本実施例によれば、ポンプ１３から吐出された洗浄水を複数の噴射ノズル８Ａ、８Ｂのいずれか一方または両方に切り替えることが可能な分水機構１６を設け、このポンプ１３から前記分水機構１６に通じる吐出水路１４に前記ポンプ１３から吐出された洗浄水によって回転駆動される羽根車２２を設け、ポンプ１３から吐出された洗浄水によって羽根車２２を回転駆動し、この羽根車２２の回転によって分水機構１６を動作させる構成としたから、分水機構１６の駆動源としてポンプ１３から吐出された洗浄水を利用でき、コストの低廉化を図ることができる。
【００２８】
また本実施例によれば、吐出水路１４に、主通水路１４ｃと羽根車専用通水路１４ｄとを形成し、この羽根車専用通水路１４ｄに羽根車２２を設ける構成としたから、羽根車２２を、羽根車専用通水路１４ｄを通る洗浄水の全圧力によって回転させることができ、安定した回転動力を得ることができる。しかも、吐出水路１４に仮に異物が混入したとしても、その異物が比較的流路抵抗の少ない主通水路１４ｃ側を通ることが期待でき、羽根車２２部分での異物の詰まりを少なくできる。
【００２９】
また本実施例によれば、羽根車専用通水路１４ｄに、洗浄水の流れを規制する規制部材２８を設けたから、羽根車２２の回転停止や回転速度を制御することが可能となり、分水機構１６の動作制御を図ることができる。
この場合、この規制部材２８が羽根車専用通水路１４ｄの洗浄水の流れを許容・遮断するように動作するようにしたから、羽根車２２の回転を許容及び停止することができ、分水機構１６の切り替え動作を開始及び停止できて、分水切り替え方向を変更し且つその変更位置をキープすることができる。
【００３０】
また、前記規制部材２８が羽根車専用通水路１４ｄの洗浄水の流量を絞るように動作するようにしたから、羽根車２２の回転速度を制御できて分水機構１６の切り替え動作速度を変更でき、ひいては噴射ノズル８Ａ、８Ｂの噴射の切り替え時間を変更できる。
さらに本実施例によれば、噴射ノズル８Ａ、８Ｂの回転駆動力を、洗浄水の水流で回転する噴射ノズル回転用羽根車３３から得るようにしたので、噴射ノズル８Ａ、８Ｂの回転速度の製品間でのばらつきが少なくなる。
【００３１】
また、羽根車２２及び回転伝達機構２４は吐出水路１４内に設けられているので、これら羽根車２２及び回転伝達機構２４の外部とのシールは必要が無い。
なお、本発明は上記実施例に限られず、次のように変更して実施しても良い。羽根車２２は横流式羽根車でも良い。また、分水機構１６は水流を複数の噴射ノズル８Ａ、８Ｂのいずれか一方に択一的に切り替えるようにしても良い。
【図面の簡単な説明】
【００３２】
【図１】本発明の一実施例を示す吐出水路及び羽根車並びに分水機構部分の縦断側面図
【図２】食器洗浄機の斜視図
【図３】食器洗浄機底部の破断正面図
【図４】分水機構部分の横断平面図
【図５】分水器の斜視図
【図６】図４とは分水器の回転位置が異なる状態の分水機構部分の横断平面図
【図７】図４及び図６とは分水器の回転位置が異なる状態の分水機構部分の横断平面図
【図８】一方の分水管部と一方の噴射ノズルとの連結部分の平面図
【図９】噴射ノズル回転用羽根車部分の縦断側面図
【図１０】ウォーム及びウォームギヤ部分の縦断側面図
【図１１】規制用モータに関連する電気的構成のブロック図
【符号の説明】
【００３３】
図面中、１は食器洗浄機、２は洗浄槽、８Ａ、８Ｂは噴射ノズル（洗浄手段）、１３はポンプ、１４は吐出水路、１４ｃは主通水路、１４ｄは羽根車専用通水路、１５は分水管、１５ａ、１５ｂは分水管部、１６は分水機構（分水手段）、１７は分水器、１９はマグネット、２０ａないし２０ｃは第１ないし第３の磁気センサ、２１は回転位置検出装置、２２は羽根車、２４は回転伝達機構、２８は規制部材（規制手段）、２９は規制用モータ、３０は制御回路、３２は噴射ノズル用羽根車、３６は回転伝達機構を示す。
【図１】
2007125154.tif 000003
【図２】
2007125154.tif 000004
【図３】
2007125154.tif 000005
【図４】
2007125154.tif 000006
【図５】
2007125154.tif 000007
【図６】
2007125154.tif 000008
【図７】
2007125154.tif 000009
【図８】
2007125154.tif 000010
【図９】
2007125154.tif 000011
【図１０】
2007125154.tif 000012
【図１１】
2007125154.tif 000013